(57)【要約】【課題】通常運転モードと静音運転モードとを切り換え実行するのに、切り換え状態に応じた行程時間の調整が適正に行えるようにする。【解決手段】通常運転モードと通常運転モード時よりも静音化するように運転する静音運転モードとを切り換えできるように備え、この切り換えに伴い、切り換え後の運転モードは所定の時間倍率にて実行することにより、上記の目的を達成する。【選択図】図１０
2008194267.tif 000002
【特許請求の範囲】
【請求項１】
通常運転モードと通常運転モード時よりも静音化するように運転する静音運転モードとを切り換えできるように備え、この切り換えに伴い、切り換え後の運転モードは所定の時間倍率にて実行することを特徴とする食器洗浄機。
【請求項２】
前記通常運転モードおよび静音運転モードとの双方向での切り換えにおいて、一方から他方への切り換え時と他方から一方への切り換え時との時間倍率の関係は互いに逆数とする請求項１に記載の食器洗浄機。
【請求項３】
時間倍率は、各運転モードで必要になる行程設定時間の比にほぼ合わせた請求項１または２に記載の食器洗浄機。
【請求項４】
前記切り換え時に、切り換え先の行程設定時間を超えていた場合は、その行程を終了する請求項１〜３のいずれか１項に記載の食器洗浄機。
【請求項５】
排水ステップ途中での前記切り換えの指示に対しては、次行程から切り換える請求項１〜４のいずれか１項に記載の食器洗浄機。
【請求項６】
ポンプ類、または、ポンプ類およびファンを備え、静音運転モードは、前記ポンプ類、または、前記ポンプ類およびファンの回転数を通常運転モードよりも低減する請求項１〜５のいずれか１項に記載の食器洗浄機。
【発明の詳細な説明】
【技術分野】
【０００１】
本発明は、食器類の洗浄を行う食器洗浄機に関し、さらに詳しくは必要な行程を通常運転モードと通常運転モード時よりも静音化するように運転する静音運転モードとを備えた食器洗浄機に関するものである。
【背景技術】
【０００２】
従来、食器洗浄機では洗浄行程やすすぎ行程での洗浄騒音が、不快であったり、テレビの視聴時や家人同士や知人との会話上、電話での会話上、就寝時などに問題とされることがあることにつき、洗浄プログラムに洗浄水の噴射圧力を低圧にして食器等を洗浄する低圧洗浄プログラムを備え、この低圧洗浄プログラムが選択実行されることにより洗浄騒音を低減できるようにした食器洗浄機も既に提案されている（例えば、特許文献１参照）。また、周囲環境が静かなときに洗浄ポンプの出力を下げて洗浄時間を長くし、洗浄騒音を低くする運転方法が先に提案されている旨すでに記載されている（例えば、特許文献１参照）。
【特許文献１】特開２０００−３１６７７９号公報
【特許文献２】特開平６−７２８２号公報
【発明の開示】
【発明が解決しようとする課題】
【０００３】
しかし、特許文献１に記載された食器洗浄機のように、通常圧洗浄プログラム時よりも低圧であるがすすぎ行程での噴射圧力よりも高くすることで洗浄能力の低下を補うにしても、洗浄工程時の噴射圧力を通常圧洗浄プログラム時よりも低くする分だけ、洗浄時間を通常圧洗浄プログラム時より長くしないと必要な洗浄効果が達成できないという問題は否めない。
【０００４】
にもかかわらず、通常運転時の洗浄騒音が問題となって、あるいは想定されて、低圧洗浄プログラムが一旦選択され実行されると、それを遂行しきるか停止するしかないのでは不便である。
【０００５】
例えば、低圧洗浄プログラムを遂行しきるのは、不快の解消にはよいし、テレビの定時番組を視聴したり、人を招いての会話時や纏まった話をする場合、特許文献２に記載の静かな環境となる就寝する場合などでは、食器洗浄の開始タイミングを計れるし、低圧洗浄プログラムに必要な時間に近いかそれを超えることを想定して、低圧洗浄プログラムを有利に実行することができる。これに対し、開始タイミングや所要時間が不特定な家人同士の会話、特に電話での会話に対応して低圧洗浄プログラムを選択し実行するのは困難である。従って、通常圧洗浄プログラムでの洗浄騒音が気になるユーザはそのような会話があることを想定して常に低圧洗浄プログラムを選択し実行することになる。これでは、低圧洗浄プログラムの実行中に家人同士の会話や電話での会話がなければ低圧洗浄プログラムでの洗浄時間の延長は無駄になる。また、通常圧洗浄プログラムでの洗浄騒音が問題でなくなった時点で低圧洗浄プログラムを停止し、通常圧洗浄プログラムに変更するにしてもプログラム初期からの開始となるので、先の低圧洗浄プログラムを生かせない問題がある。
【０００６】
そこで、通常運転モードと静音運転モードとをその時々の事情に応じタイムリーに切り換えられれば便利である。しかし、通常運転モードと静音運転モードとではそれらを実行する洗浄行程、すすぎ行程、乾燥行程での行程効率に既述のような高低差が生じ、それらの実行時間の比率に応じた行程設定時間の調整なしには行程での実効果に不足が生じたり、無駄な時間を費やしたりする。にもかかわらず、通常運転モードと静音運転モードとの切り換えがどのようなタイミングで、どのような組み合わせと時間割合で行われるかは不特定であり、その時々に対応した行程時間の調整は容易でない。
【０００７】
本発明の目的は、通常運転モードと静音運転モードとを切り換え実行するのに、切り換え状態に応じた行程時間の調整が適正に行える食器洗浄機を提供することにある。
【課題を解決するための手段】
【０００８】
上記のような目的を達成するために、本発明の食器洗浄機は、通常運転モードと通常運転モード時よりも静音化するように運転する静音運転モードとを切り換えできるように備え、この切り換えに伴い、切り換え後の運転モードは所定の時間倍率にて実行することを特徴としている。
【０００９】
このような特徴によれば、通常運転モードおよび静音運転モードを一方から他方に、他方から一方に切り換えて、通常運転モードでの騒音が気になる環境のときだけ静音運転モードを実行して、通常運転モード時よりも静音化した運転をタイムリーに達成しながら洗浄時間が無駄に延長するのを回避することができる。また、この切り換えに伴い、切り換え後の運転モードは所定の時間倍率にて実行することにより、切り換えがどのようなタイミングで、どのような組み合わせと時間割合で行われても、通常運転モードによる、静音運転モードに比して高い行程効率に見合った静音運転モードよりも短くてよい行程設定時間に対応した行程の進行と、静音運転モードによる、通常運転モードに比して低い行程効率に見合った通常運転モードよりも所定の時間比率で長くすることになる行程設定時間に対応した行程の進行とが、両運転モードの切り換わり時間、切り換わり回数に応じてなされる。従って、通常運転モードでの行程設定時間での通算実行時間とによる行程進行度と、静音運転モードでの行程設定時間での通算実行時間とによる行程進行度とを、時系列上で累積評価していくことで、過不足なく適正に行程を終了することができる。
【００１０】
本発明の食器洗浄機は、また、前記通常運転モードおよび静音運転モードとの双方向での切り換えにおいて、一方から他方への切り換え時と他方から一方への切り換え時との時間倍率の関係は互いに逆数とすることを特徴とすることができる。
【００１１】
このような特徴によれば、静音運転モードでの行程設定時間は、通常運転モードよりも行程効率が低い割合に応じた、通常運転モードでの行程設定時間に対するある倍数として、各運転モードでの行程効率の差に対応できる関係を利用して、通常運転モードから静音運転モードへの切り換え時の時間比率と、静音運転モードから通常運転モードへの切り換え時の時間比率とを、互いに逆数とすれば足りる。
【００１２】
本発明の食器洗浄機は、また、時間倍率は、各運転モードで必要となる行程設定時間の比にほぼ合わせたことを特徴とすることができる。
【００１３】
このような特徴により、時間比率の違いは各運転モードでの行程効率に対応するものであるところ、それら行程効率に見合って必要となる各運転モードでの行程設定時間の比率として有効である。
【００１４】
本発明の食器洗浄機は、また、前記切り換え時に、切り換え先の行程設定時間を超えていた場合は、その行程を終了するものであることを特徴とすることができる。
【００１５】
このような特徴によれば、切り換えのタイミングが切り換え先の行程設定時間を超えていると、先に実行していた運転モードの種類にかかわらず行程が満足な進行度に達していると判断できるので、ユーザの切り換え操作があってもその行程を終了することにより無駄な運転を回避することができる。
【００１６】
本発明の食器洗浄機は、また、排水ステップ途中での前記切り換えの指示に対しては、次行程から切り換えるものであることを特徴とすることができる。
【００１７】
このような特徴によれば、排水ステップ途中に静音運転モードが選択されても直ぐには移行しないことにより、通常運転モードで排水ステップに入り、排水ポンプの回転速度を通常運転モードで制御している状態から急に静音運転モードでの制御に切り換えることによる不具合、その逆の急な切り換えによる不具合を回避して次行程から静音モードに切り換え実行することができる。
【００１８】
本発明の食器洗浄機は、また、ポンプ類、または、ポンプ類およびファンを備え、静音運転モードは、前記ポンプ類、または、前記ポンプ類およびファンの回転数を通常運転モードよりも低減することを特徴とすることができる。
【００１９】
このような特徴により、ポンプ類の回転数の低減にて洗浄水を供給する洗浄行程やすすぎ行程での洗浄水の噴射音や衝突音、循環音、排水音、ポンプの回転音を静音化でき、ファンの回転数の低減にて乾燥行程での風切り音などを静音化できる。
【発明の効果】
【００２０】
本発明の食器洗浄機によれば、通常運転モードでの騒音が気になる環境のときだけ静音運転モードを実行して、通常運転モード時よりも静音化した運転がタイムリーに実行して洗浄時間が無駄に延長するのを回避できるようにし、しかも、切り換えがどのようなタイミングで、どのような組み合わせと時間割合で行われても、通常運転モードによる行程設定時間に対応した行程の進行と、静音運転モードによる行程設定時間に対応した行程の進行とが、両運転モードの切り換わり時間、切り換わり回数に応じてなされる関係から、通常運転モードでの行程設定時間での通算実行時間とによる行程進行度と、静音運転モードでの行程設定時間での通算実行時間とによる行程進行度とを、時系列上で累積評価しながら、過不足なく適正に行程を終了することができる。
【発明を実施するための最良の形態】
【００２１】
以下、本発明の実施の形態に係る食器洗浄機について図１〜図１０を参照しながら説明し、本発明の理解に供する。なお、以下の説明は本発明の具体例であって特許請求の範囲の記載内容を限定するものではない。
【００２２】
本実施の形態の食器洗浄機は、図１（ａ）（ｂ）に示す本体１に食器類を収容して洗浄を行う洗浄槽２を内部に有し、前面には食器類を洗浄槽２に出し入れするためのドア１ａを有した開口１ｂが設けられている。ドア１ａは閉じると開口１ｂまわりに設けた係合部にフック片が弾性係合することで閉じ状態にロックされるようになっており、ハンドルを操作して開くときはそのロックが自動的に解除されるようになっている。洗浄槽２は給水弁３から洗浄水を供給されて底部２ａに溜める。洗浄槽２の底部２ａに溜めている洗浄水は洗浄ポンプ４によって、洗浄槽２内に設けられている例えば図１（ａ）（ｂ）、図２に示すような複数の洗浄ノズル４１〜４４に供給し、洗浄ノズル４１〜４４から洗浄槽２内の上下２段の食器籠４８、４９に収容している食器類に向けて噴出する。
【００２３】
本実施の形態において、食器洗浄機の本体１は、給水弁３、洗浄ポンプ４、ヒータ５、排水ポンプ６、送風ファン７などを内部機能などとしての図１に示す負荷制御手段１１により駆動し、洗い、すすぎおよび乾燥の各行程を逐次制御する図１、図２に示すような制御装置１２を内蔵している。なお、本発明に係る食器洗浄機において、乾燥行程は必須ではない。本発明の食器洗浄機には、洗浄プログラムとして、通常運転モードと静音運転モードとが備えられ、通常運転モードの中に、様々な洗浄コース（例えば、標準コース、低温ソフトコース、少量コース、スピーディコースなど）が選択可能に備えられている。これら洗浄コースのプログラムは、制御装置１２の記憶部２０の中に制御プログラムとして記憶されており、操作者による操作パネル１３からの選択指示に従い、制御プログラムにより、負荷制御手段１１を介して給水弁３、洗浄ポンプ４、ヒータ５、排水ポンプ６、送風ファン７などを駆動制御する。通常運転モードと静音運転モードとはいつでも選択可能であり、選択された時点で、通常運転モードから静音運転モードに、あるいは、静音運転モードから通常運転モードに切り換えられる。
【００２４】
底部の左右２つの洗浄ノズル４１、４２と、中段の洗浄ノズル４４が洗浄水をノズル孔から噴出するときの反力によって回転するようにそれぞれ図２に示す軸４５、４６、４７によって支持されている。背部の洗浄ノズル４３は固定されている。洗浄ポンプ４から洗浄ノズル４１〜４４への給水は、洗浄ポンプ４からの給水路５６から例えば図１（ａ）（ｂ）に示すような分水装置５１を介し接続した分水路５２、５３、５４を経て洗浄ノズル４１、４２、４３に供給し、洗浄ノズル４４へは洗浄ノズル４３から延びた分水パイプ５５を介して洗浄ノズル４３から供給する。そこで、洗浄ノズル４４は分水パイプ５５を利用して前記の軸４７による支持を行っている。
【００２５】
分水装置５１は、図３、図４に示すように、洗浄ポンプ４の駆動、駆動停止に伴う洗浄水圧の有無に応動する弁体５０の切り換え機能によって、前記複数の洗浄ノズル４１、洗浄ノズル４２、洗浄ノズル４３および４４へ所定の順序で分水する。このために、分水装置５１は、例えば、洗浄ノズル４１への分水路５２に通じる分水開口５７ａ、洗浄ノズル４２への分水路５３に通じる分水開口５７ｂ、洗浄ノズル４３への分水路５４に通じる分水開口５７ｃ、および洗浄ノズル４１への分水路５２と洗浄ノズル４２への分水路５３との双方に通じる分水開口５７ｄを軸回りに配した分水口５７を給水路５６の上流側に向けて配し、具体的には弁室５８内に下向きに開口させて、この弁室５８内の前記弁体５０と対向させている。弁体５０は弁室５８内で洗浄ポンプ４の駆動、駆動停止による洗浄水圧の有無に応動して、複数の分水開口５７ａ〜５７ｄを持った分水口５７にガイド軸６０まわりの所定の回転位置にて当接し特定の１つ以外を塞いで特定の１つを通じて分水する分水位置と、分水口５７から離れて各分水開口５７ａ〜５７ｄ全てを開放する分水しない非分水位置との間で移動するように設けられ、この弁体５０の分水位置と非分水位置との間の往復動作に伴い、弁体５０が分水開口を閉じる回転位置を変更していくように上部カム対６１と下部カム対６２とが交互に働くようになっている。
【００２６】
具体的には、下部カム対６２は互いに噛み合う鋸歯状カム６２ａ、６２ｂ同士であり、双方は弁体５０を１／４回転位置ずつに安定させる案内条件を持っている。一方、上部カム対６１は山形カム６１ａと分水口５７の各分水開口５７ａ〜５７ｄを仕切る仕切り壁を共用した放射状のリブカム６１ｂとであり、弁体５０が下部カム対６２によって安定していた回転位置から洗浄水圧によって押し上げられたとき、山形カム６１ａの斜面がリブカム６１ｂに当接して弁体５０を１／４未満回転させて安定させる案内条件を持っている。これにより、弁体５０は分水位置に上動する都度上動前の安定回転位置から１／４回転未満回転させられ、弁体５０は一端分水位置に上動した後落下する都度下部カム対６２の噛み合わせ位置が次の１／４回転位置へ安定させるように変更される。この結果、複数の分水開口５７ａ〜５７ｄのうち１つずつが順次に開放され、洗浄ノズル４１→洗浄ノズル４１および４２の両方→洗浄ノズル４２→洗浄ノズル４３および４４両方→洗浄ノズル４１の順に洗浄水が供給される。
【００２７】
このような分水によって省洗浄水量で十分な勢いのある洗浄水の噴出を満足して、しかも、噴出域を順次に変更して洗浄槽２内に収納した全ての食器類を十分に洗浄できる。また、十分な洗浄のために所定の噴射圧を設定する。
【００２８】
洗浄槽２の底部２ａには洗浄水位検知手段１０があり洗浄槽２内の洗浄水位を検知し、電気信号として出力する。一方、洗浄槽２の底部２ａにはヒータ５が配設され、洗浄水を加熱し洗浄水による洗浄効果やすすぎ効果を高める。これに併せ、洗浄槽２の底部２ａに外側より密着するように取り付けたサーミスタなどの温度検知手段９を設けて、洗浄水の洗浄水温や洗浄槽２の温度を熱伝導により検知し、それらの温度制御に供する。また、洗浄槽２の底部２ａ内の洗浄水を排出する排水ポンプ６や、洗浄槽２内の蒸気を排気口から本体１外へ送り出し洗浄後の食器を乾燥させる送風ファン７も洗浄槽２のまわりに設けてある。本体１はまた、給水弁３、洗浄ポンプ４、ヒータ５、排水ポンプ６、送風ファン７などを負荷制御手段１１を介して駆動し、洗い、すすぎ、乾燥の各工程を逐次制御する制御装置１２を内蔵している。なお、乾燥行程は必須としない。
【００２９】
なお、排水は洗浄終了後の他、洗浄行程中やすすぎ行程中でも洗浄水やすすぎ洗浄水の入れ換えのために新たな給水の前に行うが、洗浄行程では１、２回とするのに対し、すすぎ行程では３回以上と多くしてすすぎ効果を高める。
【００３０】
ところで、既述したように運転騒音が問題になることがある。運転騒音は主として洗浄行程やすすぎ行程での洗浄水の噴射音や衝突音、循環音、排水音、洗浄ポンプ４や排水ポンプ６の回転音である。しかし、運転騒音としては、それ以外にも乾燥行程での送風ファン７の風切り音、分水装置５１の弁体５０が分水口５７に当接するときの衝突音など種々あり、人や環境によっては問題になる。
【００３１】
そこで、従来、油汚れや食後数時間経って洗う場合に適合させた高温パワフルコース、普段の汚れの食器を食後すぐに洗うのに適合させた標準コース、熱に弱い樹脂製食器類などを洗うのに適合させた低音ソフトコース、食器点数が少ない場合に適合させた少量コース、予め漬け置き水洗いしたときに適合させたスピーディコース、後でまとめ洗いしたいときに適合させた予洗コース、手洗いした食器類の乾燥や食器のあたために適合させた乾燥のみコースといった、特に静音化を目指したものでない一般の選択コースに加え、静音化を図る静音運転モードを含むプログラムにてコースの全行程を運転しきるナイトコースなどとして設けてきたが、既述したように選択されたコースの全工程のプログラムを実行しきるのでは、リアルな環境変化に対応できない不便がある。
【００３２】
これに対応するのに、本実施の形態では、従来からの所定の行程設定時間Ｘで洗浄やすすぎの行程を終了することができる通常運転モードと、通常運転モード時よりも静音化するように運転する静音運転モードとを備え、通常運転モードおよび静音運転モードの一方の運転モードを実行中に切り換えの入力があると、他方の運転モードに切り換えて実行するようにする。このように、通常運転モードおよび静音運転モードの一方の実行中に切り換えの入力があれば通常運転モードおよび静音運転モードの他方に切り換えて実行することができ、通常運転モードでの騒音が気になる環境のときだけ静音運転モードを実行して、通常運転モード時よりも静音化した運転をすることができる。従って、通常運転モードまたは静音運転モードがいつでも実行中の一方から他方へ、また、切り換え後の他方から一方へ切り換えられ、例えば、運転騒音が問題でない間は通常運転モードを優先して高い洗浄効率を生かしながら、運転騒音が問題となるときに静音運転モードに切り換えて静音化を確保し、静音化が不要になったときは通常運転モードに戻すことで高い洗浄効率が再度生かせるようになる。つまり、実情に合わして過不足ない静音化運転がタイムリーに自由にでき、洗浄時間が無駄に延長することも回避できる。
【００３３】
このような静音化は洗浄ポンプ４、排水ポンプ６、送風ファン７の回転数を低減することで行うと、上記した運転騒音の音源のほぼ全部につき静音化が図れるので好適である。しかし、既述の分水装置５１の弁体５０が分水口５７に当接する音は一瞬であるが高く、特に静音運転モードの実行時には通常運転モード実行時よりも聞き取られやすくなり、問題とされやすい。このため、分水装置５１を働かせるために洗浄ポンプ４を一旦停止した後の再駆動を弁体５０が分水口５７に当接して分水位置に落ち着くまでの少しの時間の間低速で駆動するスロースタート運転を採用することで、分水装置５１の静音化が図れる。また、洗浄工程や乾燥行程途中での前記排水、再給水時の洗浄ポンプ４の停止、再駆動に際してもスロースタートするのが好適である。
【００３４】
このような静音運転モードは、既述した選択コースのうちの、例えば、洗浄ポンプ４、排水ポンプ６、送風ファン７が通常運転される標準コース、低音ソフトコース、少量コースなどに適用して有効である。しかし、運転騒音が問題とならないコースは勿論、高温パワフルコースなど選択コースによっては前記切り換えの入力は受け付けない制御を行うことで、通常運転モードよりも高い洗浄能力を発揮する高温パワフルコースなど、騒音の高まりが予想されるのをユーザが敢えて選択した選択コースの特徴が、静音運転モードに切り換わって生かされず、かえってユーザの不満となるようなことを回避することができる。
【００３５】
通常運転モードと静音運転モードとの切り換えの入力は、例えば、図５に示すような電源入スイッチ７４、電源切スイッチ７３、複数の選択コースを選択するコース選択スイッチ７５、乾燥時間などを設定する乾燥設定スイッチ７６、スタート・一時停止スイッチ７７、予約の時間設定を行う予約スイッチ７８、およびそれらに関連する表示部などが設けられる操作パネル１３に設けた静音切り換えスイッチ７９などの１つの操作部材により行うようにする。これにより、１つの静音切り換えスイッチ７９を共用してこれを操作することにより、現在実行している通常運転モードおよび静音運転モードの一方を他方にいつでも切り換えられる。
【００３６】
このような１つの静音切り換えスイッチ７９による通常運転モードと静音運転モードとのタイムリーな切り換え制御は、例えば、図１、図２に示す制御装置１２による制御動作で行える。具体的には、制御装置１２は、選択されたコースでの運転中に静音切り換えスイッチ７９からのオン信号が入力する都度、まず、現在運転モードが通常運転モードか静音運転モードなのかを判定する。この結果、通常運転モードであるとき制御装置１２は静音運転モードへの切り換え信号であると判定し、通常運転モードでないとき、つまり静音運転モードであるときは通常運転モードへの切り換え信号であると判定し、判定結果に応じた運転モードに切り換え実行するようにする。しかも、制御装置１２は、静音運転モードへの切り換えと判定した場合、さらに、現在選択されているコースが標準コース、低音ソフトコース、スピーディコースのいずれかどうか、つまり、静音運転モードへの切り換えを受け付ける選択コースかを判定し、そのいずれかの場合だけ静音運転モードに切り換え実行し、そのいずれでもなければ、静音運転モードに切り換えず現在実行している通常運転モードを継続するようにして、静音運転モードがそれに相応しくない選択コースにて実行される不都合を回避することができる。また、制御装置１２は、前記切り換えの入力は、洗浄、すすぎ、乾燥といった実行する行程のどの時点でも受け付けることができる。これにより、実行する全行程で生じる洗浄時騒音、すすぎ時騒音、乾燥時騒音などにつき、静音化できる静音運転モードにいつでも切り換え、また通常運転モードにいつでも戻せる。
【００３７】
静音運転モードが前記洗浄ポンプ４、排水ポンプ６であるポンプ類、または、これらポンプ類および前記送風ファン７の回転数を通常運転モードよりも低減するものであるとき、ポンプ類の回転数の低減にて洗浄水を供給する洗浄行程やすすぎ行程での洗浄水の噴射音や衝突音、循環音、排水音、ポンプの回転音を静音化でき、送風ファン７の回転数の低減にては乾燥行程での風切り音などを静音化できる。
【００３８】
ここで、洗浄ポンプ４で他のポンプ類や送風ファン７を代表して、図７を参照しながら通常運転モードと静音運転モードとの制御例を比較すると、通常運転モードでは図７（ａ）に示すように、洗浄ポンプ４を４２００ｒｐｍの通常運転条件で駆動し通常運転モードでの行程設定時間Ｘにて洗浄行程を実行する。これに対して、静音運転モードでは図７（ｂ）に１つの例を示すように洗浄ポンプ４を３６００ｒｐｍの静音運転条件で駆動し、洗浄やすすぎ効果が低減する分だけ、通常運転モードでの行程設定時間Ｘよりも例えば３倍となる３Ｘの行程設定時間で洗浄行程やすすぎ行程を実行し終了するように設定する。
【００３９】
しかし、選択した１つのコースは、環境変化に対応したユーザによる静音切り換えスイッチ７９のタイムリーな切り換えに対応して、通常運転モードと静音運転モードとが実行されるので、双方の運転時間Ａ、Ｂ双方を合わせて運転を終了する必要がある。このため、通常運転モード時は図７（ａ）に示すようにＡ時間カウンタにて通常運転時間Ａを累積カウントするのに対し、静音運転モード時は図７（ｂ）に示すようにＢ時間カウンタによって静音運転時間Ｂを累積カウントするようにし、運転はいずれの運転モード実行中でもＡ＋Ｂ／３＝Ｘを満足した時点で終了すればよいことになる。
【００４０】
なお、選択したコースでの静音運転モードの実行は途中通常運転モードに切り換えなければ、ナイトコースに等価ないしは近いものとなるような場合、ナイトコースを選択コースから除外してもよくなる。
【００４１】
このような静音運転モードは、図７（ｂ）に示す運転モードに対し、図７（ｃ）に示すような別の１つまたはそれ以上の静音運転モードを合わせ複数有したものとすることができる。例えば、図７（ｃ）に示す例では、静音運転モードのための洗浄モータ４の駆動回転数を３８００ｒｐｍに設定して運転することにより、図７（ａ）の通常運転モードの場合に比して静音化できる上、図７（ｂ）に示す静音運転モードの場合よりも高い回転数３８００ｒｐｍでの運転であることにより、洗浄効果やすすぎ効果が高まる。従って、図７（ｂ）の場合よりも行程設定時間を例えば２Ｘと短くでき、本例での運転終了時間はＡ＋Ｂ／３＋Ｃ／２＝Ｘとなる。このような複数の静音運転モードと通常運転モードとの切り換えも１つの操作部材である静音切り換えスイッチ７９の操作の都度、図６に示す場合のようにロータリ方式に順次切り換えられる。
【００４２】
以上の通常運転モードでの所要運転時間Ｘに対する静音化度合の違いによる倍率の違いは、説明を簡単にするための説明例であって、これに限られないのは勿論であり、静音運転モードから通常運転モードへの切り換え時の運転時間の変化は前記倍率の逆数となる。
【００４３】
ここに、本実施の形態は、通常運転モードと静音運転モードとの切り換えに伴う、切り換え前の運転モードに対し、切り換え後の運転モードは所定の時間倍率、例えば、Ｘ：３Ｘ、Ｘ：３Ｘ：２Ｘなどとして実行するものともいえる。これにより、通常運転モードおよび静音運転モードを一方から他方に、他方から一方に切り換えて、通常運転モードでの騒音が気になる環境のときだけ静音運転モードを実行して、通常運転モード時よりも静音化した運転を選択し実行しながら、この切り換えに伴い、切り換え後の運転モードは所定の時間倍率にて実行することにより、切り換えがどのようなタイミングで、どのような組み合わせと時間割合で行われても、通常運転モードによる、静音運転モードに比して高い行程効率に見合った静音運転モードよりも短くてよい行程設定時間に対応した行程の進行と、静音運転モードによる、通常運転モードに比して低い行程効率に見合った通常運転モードよりも所定の時間比率で長くすることになる行程設定時間に対応した行程の進行とが、両運転モードの切り換わり時間、切り換わり回数に応じてなされる。従って、通常運転モードでの行程設定時間での通算実行時間とによる行程進行度と、静音運転モードでの行程設定時間での通算実行時間とによる行程進行度とを、時系列上で累積評価していくことで、過不足なく適正に行程を終了することができる。その行程終了条件は、図７（ａ）（ｂ）（ｃ）に示すような総合評価式にて簡単に判定することができる。
【００４４】
このような視点から評価すると、本実施の形態では、通常運転モードでの騒音が気になる環境のときだけ静音運転モードを実行して、通常運転モード時よりも静音化した運転ができるようにして、しかも、切り換えがどのようなタイミングで、どのような組み合わせと時間割合で行われても、通常運転モードによる行程設定時間に対応した行程の進行と、静音運転モードによる行程設定時間に対応した行程の進行とが、両運転モードの切り換わり時間、切り換わり回数に応じてなされる関係から、通常運転モードでの行程設定時間での通算実行時間とによる行程進行度と、静音運転モードでの行程設定時間での通算実行時間とによる行程進行度とを、時系列上で累積評価しながら、過不足なく適正に行程を終了することができるものとなる。
【００４５】
また、既述したように、通常運転モードおよび静音運転モードとの双方向での切り換えにおいて、一方から他方への切り換え時と他方から一方への切り換え時との時間倍率の関係は互いに逆数としていることにより、静音運転モードでの行程設定時間は、通常運転モードよりも行程効率が低い割合に応じた、通常運転モードでの行程設定時間に対する図７に具体例を示しているようなある倍数として、各運転モードでの行程効率の差に対応できる関係を利用して、通常運転モードから静音運転モードへの切り換え時の時間比率と、静音運転モードから通常運転モードへの切り換え時の時間比率とを、互いに逆数とすれば足りる。
【００４６】
また、時間倍率は、各運転モードで必要となる行程設定時間の比にほぼ合わせたものとなることにより、時間比率の違いは各運転モードでの行程効率に対応するものであるところ、それら行程効率に見合って必要となる各運転モードでの行程設定時間の比率として有効である。
【００４７】
また、図７に例示する行程終了条件は、切り換え時に、切り換え先の行程設定時間を超えていた場合は、その行程を終了するものであるともいえ、これにより、切り換えのタイミングが切り換え先の行程設定時間を超えていると、先に実行していた運転モードの種類にかかわらず行程が満足な進行度に達していると判断できるので、ユーザの切り換え操作があってもその行程を終了することにより無駄な運転を回避することができる。
【００４８】
次に、通常運転モードでの排水制御例と、静音運転モードでの排水制御例とにつき説明すると、通常運転モードでの排水は図８に示すように、排水ポンプ６を回転数３０００ｒｐｍで駆動して効率よく排水を開始した後、１５００ｒｐｍ程度に一旦落として維持し、さらに落として残水の落ち着きを図りながら、最終段階では３５００ｒｐｍに上げて排水を仕切れるようにし、１５００ｒｐｍに下げた以降時間Ｔｎにて排水を完了するようにしている。
【００４９】
これに対し、静音運転モードでの排水は、図９に示すように、例えば回転速度３０００ｒｐｍで駆動して排水を開始し、所定時間経過して洗浄槽２の底部２ａの洗浄水が残り少なくなった状態で、排水ポンプ６の回転速度を、例えば３０００ｒｐｍに落として維持して洗浄水を排水している。この静音運転モードにおける図９に示す排水ポンプ６の回転速度の経時変化と、通常運転モードにおける図８に示す排水ポンプ６の回転速度の経時変化とを比較すれば分かるように、静音運転モードでの駆動制御においては、排水ポンプ６の回転速度を落とした後に、排水ポンプ６を停止させ、さらに、排水ポンプ６の回転速度を急に上昇させて、排水ステップの初期段階での回転速度よりも高い回転速度で排水ポンプ６を駆動する動作を採っていない。このことにより、この高い回転速度で駆動する際の排水ポンプ６からの騒音、および一気に排水する際に発生する空気のかみ込み音を無くし、静かな状態で各排水を実行することができる。
【００５０】
また、静音運転モードにおいて、排水ポンプ６の回転速度を落として最後まで回転速度を上げないときには、排水能力が低下するが、洗浄工程およびすすぎ行程での排水ステップにおいて実施する排水時間ＴS を、通常運転モードでの排水における排水時間ＴN に対して、ＴS ＞ ＴN となるように延長することで、洗浄槽２内の底部２ａに洗浄水を残さずに全ての洗浄水を排水しきることができる。
【００５１】
このような通常運転モードと静音運転モードとの切り換えタイミングは、図１０に示すような洗浄工程およびすすぎ行程において、幾回か行われる排水ステップの途中に対応してしまうことがあることに対し、制御装置１２は、排水ステップ途中での前記運転モード切り換えの指示に対しては、当該排水ステップを終了した後の行程から静音運転モードに切り換え実行する。これにより、排水ステップ途中に静音運転モードが選択されても直ぐには移行しないことにより、通常運転モードで排水ステップに入り、排水ポンプ６の回転速度を通常運転モードで制御している状態から静音運転モードでの制御に切り換えることによる不具合、具体的には、その時点での残水状態を判定し難い上、排水ポンプ６の回転速度を落すので残水が生じやすくなるのを回避できる。また、静音運転モードで制御している状態から通常運転モードでの制御状態に切り換えることによる不具合、具体的には、静音運転モードでの排水ポンプ６の低速度な定速度状態から、通常運転モードでの経時的に複雑な変化を持たせるどの時点に移行してよいか判定が困難で、適正に排水しきりにくくなるのを回避することができる。
【産業上の利用可能性】
【００５２】
本発明は食器洗浄機における通常運転モードと静音運転モードとを選択実行する技術において、どのような切り換え状況にも行程の進行が過不足なく達成されるようにできる。
【図面の簡単な説明】
【００５３】
【図１】本発明に係る食器洗浄機の内部構造を説明するための、（ａ）は正面断面図であり、（ｂ）は側面断面図である。
【図２】本発明に係る食器洗浄機の概略構造を説明するための斜視図である。
【図３】本発明に係る食器洗浄機に用いられる分水装置の内部構造を説明するための側面断面図である。
【図４】本発明に係る食器洗浄機に用いられる分水装置の分岐構造を説明するための平面断面図である。
【図５】本発明に係る食器洗浄機における操作パネルの正面図である。
【図６】本発明に係る食器洗浄機の運転モード切り換え制御例を示すフローチャートである。
【図７】本発明に係る食器洗浄機の運転モード別の駆動回転数と時間、運転終了時間切り換え制御例を示すフローチャートである。
【図８】本発明に係る食器洗浄機の排水ステップにおける通常運転モードでの排水ポンプの駆動制御を説明するための回転速度の経時変化を示す図である。
【図９】本発明の食器洗浄機の排水ステップにおける静音運転モードでの排水ポンプの駆動制御を説明するための回転速度の経時変化を示す図である。
【図１０】本発明に係る食器洗浄機における洗浄行程およびすすぎ行程における動作の進行を説明するための行程図である。
【符号の説明】
【００５４】
１    本体
２    洗浄槽
３    給水弁
４    洗浄ポンプ
６    排水ポンプ
７    送風ファン
１１    負荷制御手段
１２    制御装置
１３    操作パネル
４１〜４４  洗浄ノズル
５０    弁体
５１    分水装置
７５    コース選択スイッチ
７９    静音切り換えスイッチ
【図１】
2008194267.tif 000003
【図２】
2008194267.tif 000004
【図３】
2008194267.tif 000005
【図４】
2008194267.tif 000006
【図５】
2008194267.tif 000007
【図６】
2008194267.tif 000008
【図７】
2008194267.tif 000009
【図８】
2008194267.tif 000010
【図９】
2008194267.tif 000011
【図１０】
2008194267.tif 000012